(57)【要約】【課題】大型のコンクリートブロックであっても紙製の型枠用部材を使用して、作業性良く、低コストで製造ができるプレキャストコンクリートブロック製造型枠の提供。【解決手段】製造しようとするプレキャストコンクリートブロックの立ち上がり外周面を成形する縦向き筒状をした周面型枠用部材１１と、その内底部に嵌め合わせて設置した底面型枠用部材１２とを備え、周面型枠用部材１１を筒状に形成された紙材をもって構成させ、底面型枠用部材１２は、製造しようとするプレキャストコンクリートブロックの所望形状の端面が成形される形状をした金属材をもって構成させる。【選択図】図１
2013119207.tif 000002
【特許請求の範囲】
【請求項１】
製造しようとするプレキャストコンクリートブロックの立ち上がり外周面を成形する縦向き筒状をした周面型枠用部材と、該周面型枠用部材の内底部に嵌め合わせて設置した底面型枠用部材とを備え、
前記周面型枠用部材は筒状に形成された紙材をもって構成させ、前記底面型枠用部材は、前記プレキャストコンクリートブロックの所望形状の端面が成形される形状をした金属材をもって構成させたことを特徴としてなるプレキャストコンクリートブロック製造型枠。
【請求項２】
前記底面型枠用部材は、型枠支持床上に支持されて自立する支持枠の上側に固定され、該底面型枠用部材の外周に前記筒状の周面型枠用部材を嵌め合わせてその下端を前記型枠支持床上に支持させることにより立設してなる請求項１に記載のプレキャストコンクリートブロック製造型枠。
【請求項３】
前記周面型枠用部材の外周面に縦バタを所望の間隔を隔てて沿わせ、該縦バタの外側を巻き締め具により締め付けることにより該周面型枠用部材を補強した請求項１又は２に記載のプレキャストコンクリートブロック製造型枠。
【発明の詳細な説明】
【技術分野】
【０００１】
本発明は、例えば海洋構造物を支持する杭上端に設置する杭頭ブロック等のコンクリートブロックを製造するためのプレキャストコンクリートブロック製造型枠に関する。
【背景技術】
【０００２】
一般に海洋構造物を構成するプレキャストコンクリートブロックの製造に使用する型枠は、製造しようとするブロックの外形を複数分割した形状の鋼製型枠部材を使用し、これらを組み合わせて型枠を組み立て、その内部にコンクリートを充填することによって製造されていた（例えば特許文献１）。
【０００３】
また、従来、型枠材料として防水処理を施した紙材が使用されており、ボイド部材や場所打ちコンクリート用の円柱型枠として紙製の円筒状材が使用されている（例えば特許文献２，３，４）。
【先行技術文献】
【特許文献】
【０００４】
【特許文献１】特開平６−３１２４１６号公報
【特許文献２】特開平１０−２１９９９７号公報
【特許文献３】特開２００２−１８０６６１号公報
【特許文献４】特開２００２−３４９０６２号公報
【発明の概要】
【発明が解決しようとする課題】
【０００５】
しかしながら、上述の如き従来の技術の内、鋼製型枠部材を使用するプレキャストコンクリートブロック製造型枠は、多回数の再使用が可能であるため、例えば、消波ブロックのように大量に製造するものについては好適であるが、少数しか製造しない特殊な用途のブロックについては、型枠製造コストの占める割合が高くなり、コスト的に不利であるという問題があった。
【０００６】
また、紙製の型枠は、繰り返し使用しない場合であっても、それ自体が低コストで製造できるという利点がある。このため従来から使用されているものであるが、主として建築構造物の場所打ちコンクリートの成形型枠やボイド材として使用されていたものであり、特に重量が数百キログラム〜数トンの大型のコンクリートブロックの製造に際し、全ての面を形成させるようにするには不向きであるという問題があった。
【０００７】
本発明は、このような従来の状況に鑑み、大型のコンクリートブロックであっても紙製の型枠用部材を使用して、作業性良く、低コストで製造ができるプレキャストコンクリートブロック製造型枠の提供を目的としてなされたものである。
【課題を解決するための手段】
【０００８】
上述の如き従来の問題を解決し、所期の目的を達成するための請求項1に記載の発明の特徴は、製造しようとするプレキャストコンクリートブロックの立ち上がり外周面を成形する縦向き筒状をした周面型枠用部材と、該周面型枠用部材の内底部に嵌め合わせて設置した底面型枠用部材とを備え、前記周面型枠用部材は筒状に形成された紙材をもって構成させ、前記底面型枠用部材は、前記プレキャストコンクリートブロックの所望形状の端面が成形される形状をした金属材をもって構成させたことを特徴としてなるプレキャストコンクリートブロック製造型枠にある。
【０００９】
請求項２に記載の発明の特徴は、請求項１の構成に加え、前記底面型枠用部材は、型枠支持床上に支持されて自立する支持枠の上側に固定され、該底面型枠用部材の外周に前記筒状の周面型枠用部材を嵌め合わせてその下端を前記型枠支持床上に支持させることにより立設したことにある。
【００１０】
請求項３に記載の発明の特徴は、請求項１又は２の構成に加え、前記周面型枠用部材の外周面に複数の縦バタを所望の間隔を隔てて沿わせ、該縦バタの外側を巻き締め具により締め付けることにより該周面型枠用部材を補強したことにある。
【発明の効果】
【００１１】
本発明に係るプレキャストコンクリートブロック製造型枠においては、製造しようとするプレキャストコンクリートブロックの立ち上がり外周面を成形する縦向き筒状をした周面型枠用部材と、該周面型枠用部材の内底部に嵌め合わせて設置した底面型枠用部材とを備え、前記周面型枠用部材は筒状に形成された紙材をもって構成させ、前記底面型枠用部材は、前記プレキャストコンクリートブロックの所望形状の端面が成形される形状をした金属材をもって構成させたことにより、周面型枠用部材が、金属材に比べてはるかに廉価な紙材であるため、１回ごとの使い捨てとしたとしても全体に金属材を使用する場合に比べコストを低く抑えることができ、また、金属材の使用箇所を、形状が複雑で重量の多く掛かる底面型枠用部材のみとすることによって型枠製造費が削減でき、しかも底面型枠用部材は再使用が可能であるため、使用回数が少ない場合であっても、低コストでコンクリートブロックの製造が可能となる。
【００１２】
また、本発明において、前記底面型枠用部材は、型枠支持床上に支持されて自立する支持枠の上側に固定され、該底面型枠用部材の外周に前記筒状の周面型枠用部材を嵌め合わせてその下端を前記型枠支持床上に支持させることにより立設することにより、周面型枠用部材の組み付けが容易となり、特別の機材を使用せずに少ない労力で型枠の組み立てが可能となる。
【００１３】
本発明において、前記周面型枠用部材の外周面に縦バタを所望の間隔を隔てて沿わせ、該縦バタの外側を巻き締め具により締め付けることにより該周面型枠用部材を補強することにより、簡単な構造での型枠補強が可能となり、コストを削減できる。
【図面の簡単な説明】
【００１４】
【図１】本発明に係るプレキャストコンクリートブロック製造型枠の一例を示す縦断面図である。
【図２】同上の平面図である。
【図３】（ａ）〜（ｅ）は、図１に示す型枠の組み立てからコンクリート打設後の脱型に至る工程の一例を示す説明図である。
【図４】図１に示す型枠により製造されるブロックの使用例を示す縦断面図である。
【発明を実施するための形態】
【００１５】
次に、本発明に係るプレキャストコンクリートブロック製造型枠の実施の形態を図面に示した実施例に基づいて説明する。図１は本発明に係る型枠の概略を示しており、この型枠によって製造されるコンクリートブロックは、図４に示す杭式消波構造物の沖側の杭頭部に設置するブロック（杭頭ブロック）Ａを製造するものである。
【００１６】
このブロックＡは、杭１に支持させた消波構造体２の杭貫通孔３の開口部を閉鎖するためのものであり、上面４が消波構造体２の前面上縁部の傾斜に合わせた傾斜面部４ａとこれに連続した平面部４ｂとから構成されている。
【００１７】
また、ブロックＡは、ブロックＡが杭貫通孔３に挿入された際に、立ち上がり外周面５と杭貫通孔３の内周面との間にモルタル充填隙間６が形成される大きさの円柱形となっている。更に、ブロックＡの底面７には杭上端開口部閉鎖用モルタル８内に埋め込まれる連結用鉄筋９が突設されている。
【００１８】
このブロックＡを製造するための図１に示す型枠は、同ブロックＡを逆さ、即ち底面７を上向きにして成形するようにしており、ブロックＡの立ち上がり外周面５を成形する縦向き筒状をした周面型枠用部材１１と、その内底部に嵌め合わせて設置した底面型枠用部材１２とを備えている。
【００１９】
周面型枠用部材１１は、筒状に形成された紙材をもって構成されている。この紙材としては、型枠としての表面平滑度、強度、防水性等の性能を具備した市販の型枠用紙材を使用している。
底面型枠用部材１２は、ブロックＡの所望形状の端面、即ち平面が円形であり、前述したブロックＡの上面４の傾斜面部４ａと水平面部４ｂとを成形する傾斜部１２ａと、水平部１２ｂとからなる金属材をもって構成されている。この金属材としては、通常金属製型枠に使用されている材料である鋼材が使用できる。
【００２０】
底面型枠用部材１２は、下面が支持枠１３をもって支持されている。支持枠１３は、断面Ｌ字状の鋼材１４を組み立てて構成されており、作業現場の平坦な型枠支持床１５上に自立し、底面型枠用部材１２にかかる全荷重が支持できる強度に形成されているとともに、底面型枠用部材１２の外側に張り出す部分がない大きさに形成されている。
【００２１】
周面型枠用部材１１は、所望の長さに切断した円筒体であって、底面型枠用部材１２の外側に嵌合され、その下端が型枠支持床１５上に支持させて立設されるようになっている。
【００２２】
周面型枠用部材１１の外周には、その円周方向に間隔を隔てて複数の縦バタ１６，１６...が縦向きに沿わされており、それら縦バタ１６，１６...の外周が巻き締め具１７によって締め付けられるようになっており、これによって周面型枠用部材１１の外側を補強している。
【００２３】
縦バタ１６は、一例として木製の角材が使用されている。また、巻き締め具１７には、一例として金属製の帯状材からなるバンドが使用されている。巻き締め具１７は、その両端に、これを直角に折り曲げた形状の折り曲げ片１７ａ，１７ａが形成されており、巻き締め具１７を縦バタ１６，１６...の外周に巻き掛けた状態で両折り曲げ片１７ａ，１７ａ間を、締め付け用ボルト１８により互いに引き寄せる方向に締め付けることによって、縦バタ１６及び巻き締め具１７が装着されるようになっている。
尚、巻き締め具１７は、金属製のバンドの他、合成樹脂製の帯状材や金属製の線状材であってもよく、縦バタ１６，１６......の外周に巻き掛けて所望の締め付け力が保持できるものであればよい。
【００２４】
周面型枠用部材１１と底面型枠用部材１２の傾斜部１２ａとの間には、上下複数段配置にセパレータ２０，２０...が設置されている。これはコンクリート打設時に大きな荷重が作用する周面型枠用部材１１と底面型枠用部材１２間を補強するものであり、型枠のセパレータとして通常使用されているものと同様の棒状材２１と、その両端を周面型枠用部材１１と底面型枠用部材１２の傾斜部１２ａとに固定する固定具２２，２２とから構成され、固定具２２は、脱型時にコンクリート表面に埋め戻し穴を残した状態で取り外しができる構造のものを使用している。
【００２５】
本実施例における底面型枠用部材１２は、前述したブロックＡの上面４の傾斜面部４ａを形成するものであるため、型枠内に打設されるコンクリート荷重を大きく受ける部分であり、しかもこれが傾斜面であるため、コンクリート打設時に傾斜部１２ａと周面型枠用部材１１との間に開き方向の分力が作用するが、セパレータ２０，２０......の存在によって補強され、型枠の変形が防止される。
【００２６】
このように構成される型枠の組み立て及びこれを使用したブロックＡの製造に際しては、図３（ａ）に示すように、支持枠１３に支持させた底面型枠用部材１２を型枠支持床１５上に置き、同図３（ｂ）に示すように、底面型枠用部材１２の外周に筒状の周面型枠用部材１１を上側から被せるようにして嵌め合わせ、その底面型枠用部材１２の下端を型枠支持床１５上に支持させて立設する。
【００２７】
しかる後、同図３（ｃ）に示すようにブロックＡを構成する鉄筋籠２５を周面型枠用部材１１内に挿入し、必要なスペーサ（図示せず）を使用して底面型枠用部材１２と周面型枠用部材１１とによって形成されたコンクリート打設空間内に収容する。
【００２８】
鉄筋籠２５の設置は、周面型枠用部材１１の装着前に、底面型枠用部材１２上に載置するようにしても良い。
【００２９】
このようにコンクリート打設空間内に鉄筋籠２５を設置するとともに、前述したセパレータ２０，２０...を予め設定された設置箇所に設置する。
【００３０】
次いで、同図３（ｄ）に示すように周面型枠用部材１１の外側に所要数の縦バタ１６、１６...を沿わせ、締め付け具１７を巻き掛けて固定し、型枠の組み立て及び鉄筋籠２５の設置を完了させた後、周面型枠用部材１１の上側開口部からコンクリートを充填し、所定の高さまで充填した後、その上面、即ちブロックＡの底面を鏝仕上げし、コンクリートの充填を終了する。
【００３１】
コンクリート充填終了後、所定の養生時間おいた後、同図３（ｅ）に示すように脱型する。脱型は、巻き締め具１７を取り外して縦バタ１６を撤去し、前述したセパレータ２０の固定具２２を取り外し、周面型枠用部材１１を取り外す。この周面型枠用部材１１の取り外しは、その円筒形を崩すことなく上側に抜き取って、可能な際には再使用するが、再使用ができない程品質が劣化している場合には、切り取って剥離する。
【００３２】
このように周面型枠用部材１１を撤去した後、ブロックＡの上下の向きを杭頭部に設置する向きとなるように反転させる。  
【００３３】
上述した構成の型枠を使用したブロックＡの製造は、ブロックＡの上下を逆向きにして制作することとし、且つブロックＡの傾斜面部４ａを含む上面側を金属製の底面型枠用部材にて形成させるようにしたことによって、形状が特殊で、しかも消波構造物の表面部分を構成することとなるブロックＡの上端側を、高品質なものとすることとが容易となり、しかも傾斜面部４ａを含む上側面を、仕上げ作業を要することなく、緻密かつ綺麗で、高精度な面に形成することが容易となる。
【００３４】
尚、上述の実施例では、底面型枠用部材によって成形されるブロック端部形状を円柱頂部の傾斜面とした例について説明したが、この他、必要に応じて各種のブロック端部形状に合わせた形状の底面型枠用部材が使用できる。
【００３５】
また、上述の実施例では、周面型枠用部材が円筒の場合を示しているが、この他、三角、四角その他の多角形や不規則形状の筒状であってもよい。
【符号の説明】
【００３６】
Ａ  ブロック
１  杭
２  消波構造体
３  杭貫通孔
４  上面
４ａ  傾斜面部
４ｂ  平面部
５  立ち上がり外周面
６  モルタル充填隙間
７  底面
８  杭上端開口部閉鎖用モルタル
９  連結用鉄筋
１１  周面型枠用部材
１２  底面型枠用部材
１２ａ  傾斜部
１２ｂ  水平部
１３  支持枠
１４  鋼材
１５  型枠支持床
１６  縦バタ
１７  巻き締め具
１７ａ  折り曲げ片
１８  締め付け用ボルト
２０  セパレータ
２１  棒状材
２２  固定具
２５  鉄筋籠
【図１】
2013119207.tif 000003
【図２】
2013119207.tif 000004
【図３】
2013119207.tif 000005
【図４】
2013119207.tif 000006